(57)【要約】【課題】  美容や理容用具の中で特に取り扱い難い支度紙を、美容師や理容師の作業において理想的なポジションに位置づけておくことができ、しかも、1枚ごとに取出し易い紙片収納付作業用バックの提供。【解決手段】  体に携帯自在な手段を備えた作業用バックであって、当該バック本体に、支度紙が一枚づつ引き剥がされるように重ねられた支度紙束の重ね方向が略水平となるように納められる特定支度紙ポケットを設けると共に当該特定支度紙ポケットの側面に支度紙が少なくとも1枚づつ摘み出せるスリットを設けた。又、前記特定支度紙ポケットは、バック本体の外表面側に設けた。又、支度紙束は予め取出口が設けられた包装紙に収められた包装済支度紙束であり、当該包装済支度紙束が特定支度紙ポケットに納められた状態において、当該特定支度紙ポケットの側面側から摘み出せるように、特定支度紙ポケットのスリットを包装済支度紙束の取出口と略一致させた。【選択図】図１
2005111075.tif 000002
【特許請求の範囲】
【請求項１】
体に携帯自在な手段を備えた作業用バックであって、当該バック本体に、支度紙が一枚づつ引き剥がされるように重ねられた支度紙束の重ね方向が略水平となるように納められる特定支度紙ポケットを設けると共に当該特定支度紙ポケットの側面に支度紙が少なくとも1枚づつ摘み出せるスリットを設けたことを特徴とする紙片収納付作業用バック。
【請求項２】
特定支度紙ポケットは、バック本体の外表面側に設けられたことを特徴とする請求項１に記載の紙片収納付作業用バック。
【請求項３】
支度紙束は予め取出口が設けられた包装紙に収められた包装済支度紙束であり、当該包装済支度紙束が特定支度紙ポケットに納められた状態において、当該特定支度紙ポケットの側面側から摘み出せるように、特定支度紙ポケットのスリットを包装済支度紙束の取出口と略一致させたことを特徴とする請求項１又は請求項２に記載の紙片収納付作業用バック。
【請求項４】
バッグ本体には、特定支度紙ポケットに納められる支度紙とは異なるサイズ又は用途の支度紙が収納される異種支度紙ポケットが設けられたことを特徴とする請求項１乃至請求項３の何れかに記載の紙片収納付作業用バック。
【請求項５】
バッグ本体には、輪ゴムを納める輪ゴムポケットが設けられたことを特徴とする請求項１乃至請求項４の何れかに記載の紙片収納付作業用バック。
【発明の詳細な説明】
【技術分野】
【０００１】
本発明は、作業用バッグに関し、詳しくは、美容院や理容店で美容師や理容師がパーマネント作業の際等に使用する紙片収納付作業用バックに関するものである。
【背景技術】
【０００２】
美容院や理容店において、美容師や理容師によるパーマネント作業では種々の用具が用いられ、これらの用具は、客の姿を写す大鏡の前面に設けられる棚（以下、鏡棚という）や、客の椅子周りで美容師や理容師が引き回しながら身近に置くワゴンに配備されている。
美容師や理容師（以下、作業者ともいう）は、椅子に座った客の頭部を中心にして、その椅子周りを移動しながら、作業段階に応じて必要な用具を、その都度、鏡棚やワゴンに手を伸ばして調達する。
【０００３】
このような用具のうちで、髪にウエーブを掛けたり髪をカールしたりする際には、円筒状の用具（以下、筒具という）を用い、所要領域の頭髪毎に、髪を束ねながら筒具に巻き付けていくカール支度作業がある。
このカール支度作業では、束ねた髪の幅及び長さに応じた紙片（以下、支度紙という）を束ねた髪の巻き込み側とは反対側に宛がった状態で、髪と共に筒具に一々巻きつけていかねばならない。この支度紙のサイズは一般に大小の２種があるが、小のサイズは例えば、幅６０mm、長さ１００mm程度である。
【０００４】
パーマネントをかける際には、２０〜３０回程度のカール支度作業を繰り返し行うことになるが、その都度、支度紙を1枚づつ、しかも多くの場合一方の手で、鏡棚やワゴンに用意されている紙束から、引き剥がすように摘み取っていかねばならないし、頭部の背面及び左右側を移動しながら支度紙を摘み取ろうとすれば、鏡棚に置かれた紙束の位置が客を挟んで向こう側となったりするし、ワゴンであれば作業者の移動に伴ってその都度ワゴンの移動操作をしなければならい。
【０００５】
鏡棚に比べるとワゴンの方が利便性があるが、それでも、作業者の移動に伴って常にワゴンを身近で理想的なポジションに位置づけておくことは、煩雑であり作業者に余計な負担を強いることになり、何れにしても作業効率が無く、作業者の負担は大きかった。
このような不都合は、支度紙に限らず用具の全般について言えることであるが、支度紙は、鋏や櫛等のハードな用具と違って柔弱であるため、用具の中でも特に取り扱い難い。このような支度紙と同様なものとして、例えば、筒具に髪を巻きつけた状態で維持させるために用いる輪ゴムがある。
【発明の開示】
【発明が解決しようとする課題】
【０００６】
本発明は、少なくとも、美容及び理容用具の中で特に取り扱い難い支度紙を、作業者の理想的なポジションに位置づけておくことができ、しかも、1枚ごとに取出し易い紙片収納付作業用バックの提供を目的とする。
【課題を解決するための手段】
【０００７】
本発明は、作業者の体に携帯自在な手段を備えた作業用バックであって、当該バック本体に、支度紙が一枚づつ引き剥がされるように重ねられた支度紙束の重ね方向が略水平となるように納められる特定支度紙ポケットを設けると共に当該特定支度紙ポケットの側面に支度紙が少なくとも1枚づつ摘み出せるスリットを設けたことを特徴とする。
【０００８】
又、本発明は、特定支度紙ポケットはバック本体の外表面側に設けられたことを特徴とする。
【０００９】
又、本発明は、支度紙束は予め取出口が設けられた包装紙に収められた包装済支度紙束であり、当該包装済支度紙束が特定支度紙ポケットに納められた状態において、当該特定支度紙ポケットの側面側から摘み出せるように、特定支度紙ポケットのスリットを包装済支度紙束の取出口と略一致させたことを特徴とする。
【００１０】
又、本発明は、バッグ本体には特定支度紙ポケットに納められる支度紙とは異なるサイズ又は用途の支度紙が収納される異種支度紙ポケットが設けられたことを特徴とする。
【００１１】
又、本発明は、バッグ本体には輪ゴムを納める輪ゴムポケットが設けられたことを特徴とする。
【発明の効果】
【００１２】
本発明によれば、美容及び理容用具の中で特に取り扱い難い支度紙を、美容師や理容師がパーマネント作業の際、体の理想的なポジションに位置づけておくことができ、しかも、1枚ごとを容易に取り出すことができるので、作業者の負担が大きく軽減され、作業効率を著しく向上させることができる。
又、本発明によれば、サイズや用途との異なる少なくとも二種類の支度紙や輪ゴムをも理想的なポジションに位置づけておくことができる。
【発明を実施するための最良の形態】
【００１３】
以下、本発明を、美容院で美容師が腰周りに携帯して使用する紙片収納付作業用バックについての実施例を説明する。
【実施例】
【００１４】
図１は紙片収納付作業用バックの正面側斜視図、図２は紙片収納付作業用バックの縦断面図である。
図１及び図２において、１は紙片収納付作業用バック（以下、バックともいう）である。このバック１は、バック本体１１にベルト１２を備えており、このベルト１２によって美容師の腰周りに携帯自在としている。このような携帯自在な手段としては、ベルトに限らず、例えば、バッグ本体１１にベルト通し（図示せず）を設けたりしてもよい。又、ベルト１２に代えて紐や鎖であっても良い。
【００１５】
バッグ１は、腰位置から外方に向けて、第１収納部２１、第２収納部２２、第３収納部２３と３つの収納部（ポケット）が積層されて構成されており、何れも、携帯された状態における上方が単なる開放口として開放されたポケット形状である。
第１収納部２１は、上部収納部と下部収納部との上下に分割されて、上方が開放されている上部収納部を輪ゴムを収納する輪ゴムポケット即ち輪ゴム収納部２１１としている。このバック１では、輪ゴム収納部２１１は、第１収納部２１を上げ底状態にして、底を比較的浅く形成し、輪ゴム（図示せず）を取り出し易いようにしている。
【００１６】
尚、下部収納部２１２の開放口（図示せず）は第１収納部２１の左右側面側や腰側を向いた面等に適宜設けて、他の適当な用具の収納に用いる。
又、各収納部の開放口、即ち、第１収納部２１の上部収納部（輪ゴム収納部２１１）、第２収納部２２、第３収納部２３及び第１収納部２１の下部収納部２１２の開放口は、単なる開放口とせず、チャックやボタン或いはホック等の閉鎖手段を設けてもよい（図示せず）。
【００１７】
第２収納部２２は、この例では、通常のポケット形状として、例えば、比較的大きな支度紙、例えば、幅６０mm、長さ１８０ｍｍ程度（図示せず）が納められる収納部（以下、支度紙ポケットともいう）としている。
この大きな支度紙は、後述する特定支度紙ポケット２３に納められる比較的小さな支度紙、例えば、幅６０mm、長さ１００ｍｍ程度（図示せず、）２３０とは異なる大きなサイズの支度紙という意味で、以下、異種支度紙ともいい、それを収納する支度紙ポケットを、以下、異種支度紙ポケットともいう。
尚、サイズは特定支度紙ポケット２３と同じであるが用途が異なる支度紙も異種支度紙ともいい、それを収納する支度紙ポケットをも異種支度紙ポケットという。
【００１８】
第３収納部２３は、この例では小さい支度紙が納められる収納部で、以下、特定支度紙ポケットという。
特定支度紙ポケット２３には、支度紙が一枚づつ引き剥がされるよう多数舞が重ねられた支度紙束をそのまま納めてもよいが、支度紙が一枚づつ引き剥がされるように重ねられた支度紙束が予め取出口が設けられた包装紙に収められた包装済支度紙束２３０を納めるのが好適である。
包装済支度紙束２３０は、例えば、販促品として用いられているポケットテッシュと同様の形態をしたもので、その取出口は、ビニール状包装紙の一部を重ね合わせした懐状取り出し形態であったり、或いは予め線状に施された破断線を破いて取り出す形態として形成されている。
【００１９】
特定支度紙ポケット２３は、上記何れの支度紙束でも、その重ね方向が略水平となるように納められるポケット形状となっており、当該特定支度紙ポケット２３の側面にはスリット２３１を設けて、納められた支度紙が少なくとも1枚づつ摘み出せるようになっている。
このように特定支度紙ポケット２３は、ポケットの側面から支度紙を取り出すため、バック本体１１の最も外側即ち、図示のように外表面側に設ける方がよいが、バックの収納部が大きく開口する形状であれば、その収納部の内側に内ポケットとして設けることもできる（図示せず）。
【００２０】
包装済支度紙束２３０を納める特定支度紙ポケット２３の場合、スリット２３１は包装済支度紙束の取出口（図示せず）と一致させるのが理想であるが、少なくとも支度紙が取り出せる程度に略一致するよう予め設けておく。
図示の例では包装済支度紙束２３０の取出口と略一致するよう水平方向にマイナス状に設けてあるが、マイナス状のスリットを交差させてプラス状に設けてもよい（図示せず）。このようにスリットを交差させてプラス状に設けておくと、包装済支度紙束２３０の取出口の向きを考慮せずに収納しても縦横の何れかのスリットとその取出口とを一致させることができる。
又、特定支度紙ポケット２３の内表面には、収納された包装済支度紙束２３０が滑って収納位置がずれないように摩擦係数の高い部材を滑り止め部材として適当に設けておくとよい。
【産業上の利用可能性】
【００２１】
本発明は、美容院では美容師が、理容店では理容師が腰周りに携帯して便利に使用することができるだけでなく、広く、複数枚の紙片の収納を必要とするバッグに適用することができる。
【図面の簡単な説明】
【００２２】
【図１】紙片収納付作業用バックの正面側斜視図である。
【図２】紙片収納付作業用バックの縦断面図である。
【符号の説明】
【００２３】
１    バッグ
１１  バッグ本体
１２  ベルト（携帯手段）
２１  第１収納部
２１１  上部収納部（輪ゴムポケット）
２２  第２収納部（異種支度紙ポケット）
２３  第３収納部（特定支度紙ポケット）
２３０  包装済支度紙束
２３１  スリット
【図１】
2005111075.tif 000003
【図２】
2005111075.tif 000004